(57)【要約】【課題】携帯端末の使用の多様性が充足されるとともに、通常の使用スタイルにおいて違和感の無い表示がなされるようになる。【解決手段】携帯端末１は、一方向からキー入力部１２０と第２のＬＣＤ２１１とが視認可能なキー入力状態（第１の状態）と一方向から第１のＬＣＤ１１１と第２のＬＣＤ２１１とが視認可能な２画面並列状態（第２の状態）との間で変移自在に、第１の筐体１００と第２の筐体２００とを連結するアーム３００ａ，３００ｂと、キー入力状態を検知するキー入力状態検知部５１と、キー入力状態検知部５１によりキー入力状態が検知されると、第２のＬＣＤ２１１に表示される画像の上下方向の向きを制御する制御部３０とを備える。【選択図】図１
2012137869.tif 000002
【特許請求の範囲】
【請求項１】
一面側に第１の表示部が設けられるとともに、他面側に複数のキーが設けられてなる第１の筐体と、
片面側に第２の表示部が設けられてなる第２の筐体と、
少なくとも一方向から前記複数のキーと第２の表示部とが視認可能な第１の状態と少なくとも一方向から前記第１の表示部と前記第２の表示部とが視認可能な第２の状態との間で変移自在に、前記第１の表示部と前記第２の表示部とを連結する連結部材と、
前記第１の状態を検知する検知部と、
前記検知部により前記第１の状態が検知されると、前記第２の表示部に表示される画像の上下方向の向きを前記第２の筐体から前記第１の筐体に向かう方向が下向きとなるように制御する制御部とを備える
ことを特徴とする携帯端末。
【請求項２】
前記連結部材は、一端部が前記第１の筐体に設けられた第１軸に軸支され他端部が前記第２の筐体に設けられた第２軸により支持されてなり、前記連結部材を前記第２軸周りに回動させることにより、前記第１の筐体が前記第２の表示部を覆う状態と覆わない状態とに変移自在であり、前記第１の筐体が前記第２の表示部を覆わない状態において前記第１の筐体を前記第１軸周りに回動させることにより、前記第１の状態と前記第２の状態とに変移自在である
ことを特徴とする請求項１記載の携帯端末。
【請求項３】
前記制御部は、前記検知部により前記第１の状態が検知されると、前記第１の状態が所定時間だけ継続したときに限り、前記第２の表示部に表示される画像の上下方向の向きを前記第２の筐体から前記第１の筐体に向かう方向が下向きとなるように制御する
ことを特徴とする請求項２記載の携帯端末。
【請求項４】
前記第２の状態における前記第１の筐体および前記第２の筐体の並び方向に平行する仮想軸の地面に対する傾きを検知する傾き検知部を備え、
前記制御部は、前記第２の状態において、前記向き検知部により前記仮想軸の地面に対する鋭角側の角度が所定の角度よりも小さくなる形で前記仮想軸と地面とが交差している状態が検知されると、前記第１の表示部および前記第２の表示部に表示される画像の上下方向の向きを前記仮想軸とは直交する方向において地面に向かう方向が下向きとなるように制御する
ことを特徴とする請求項１乃至３のいずれか１項に記載の携帯端末。
【請求項５】
前記制御部は、前記第２の状態において、前記向き検知部により前記仮想軸の地面に対する鋭角側の角度が所定の角度よりも小さくなる形で前記仮想軸と地面とが交差している状態が所定時間だけ継続したときに限り、前記第１の表示部および前記第２の表示部に表示される画像の上下方向の向きを前記仮想軸とは直交する方向において地面に向かう方向が下向きとなるように制御する
ことを特徴とする請求項４記載の携帯端末。
【請求項６】
前記第２の状態における前記第１の筐体および前記第２の筐体の並び方向に平行する仮想軸の地面に対する向きを検知する向き検知部と、
前記第１の表示部または前記第２の表示部がタッチされたことを検知するタッチ検知部とを備え、
前記制御部は、前記第２の状態において、前記向き検知部により前記仮想軸の地面に対する鋭角側の角度が所定の角度よりも小さくなる形で前記仮想軸と地面とが交差している状態が検知され且つ前記タッチ検知部により前記第１の表示部または前記第２の表示部がタッチされたことが検知された場合、前記第１の表示部および前記第２の表示部に表示される画像の上下方向の向きを前記仮想軸とは直交する方向において地面に向かう方向が下向きとなるように制御する
ことを特徴とする請求項１乃至３のいずれか１項に記載の携帯端末。
【請求項７】
前記制御部は、前記第２の状態において、前記向き検知部により前記仮想軸の地面に対する鋭角側の角度が所定の角度よりも小さくなる形で前記仮想軸と地面とが交差している状態が所定時間だけ継続し且つ前記タッチ検知部により前記第１の表示部または前記第２の表示部がタッチされたことが検知されたときに限り、前記第１の表示部および前記第２の表示部に表示されている画像を前記仮想軸とは直交する方向において地面に向かう方向が下向きとなるように制御する
ことを特徴とする請求項６記載の携帯端末。
【請求項８】
前記第２の状態における前記連結部材と前記第１の筐体との位置関係となるように前記第１の筐体を前記第２の筐体に対して回動するように付勢する付勢部材を備える
ことを特徴とする請求項１乃至７のいずれか１項に記載の携帯端末。
【請求項９】
前記複数のキーが、少なくともＱＷＥＲＴＹキーを含む
ことを特徴とする請求項１乃至８のいずれか１項に記載の携帯端末。
【請求項１０】
前記複数のキーが、前記第２の筐体から前記第１の筐体に向かう方向が上方向となるように配置されてなる
ことを特徴とする請求項９記載の携帯端末。
【発明の詳細な説明】
【技術分野】
【０００１】
本発明は、２つの筐体が相対変移可能に連結された携帯端末に関する。
【背景技術】
【０００２】
従来から、２つの筐体を備え、一方の筐体を他方の筐体に対して変移させることにより、２つの筐体が重なった状態と並列した状態との２つの状態をとることができるものがある（特許文献１参照）。
この従来技術においては、一方の筐体の一の主表面にディスプレイが、他の主表面にキー入力部が設けられ、他方の筐体の一の主表面にキー入力部が設けられている。
【０００３】
そして、２つの筐体が重なった状態では、一のキー入力部が外部から視認できるし、２つの筐体が並列した状態では、ディスプレイともう１つのキー入力部とが外部から視認できる。後者の状態は、ノートパソコンの使用方法に類似した方法で使用ができるので、パソコン環境に慣れている多くのユーザにとっては、抵抗無く使用することができる。
【先行技術文献】
【特許文献】
【０００４】
【特許文献１】特開２００８−２９４３７５号公報
【発明の概要】
【発明が解決しようとする課題】
【０００５】
ところで、最近はパソコン環境において操作並びに表示の多様性が要求されているように、携帯端末においても同様な要求があり、特に、２つの筐体を開いた状態（並列状態）で２つの表示部を露出させ、両方のディスプレイで１つの画像を拡大表示させたり、開いた状態で一方の筐体にディスプレイを、他方の筐体にキー入力部を露出させて、既存のパソコン感覚での使用を可能にするといった、多様な使用が出来る携帯端末に関心が持たれている。
【０００６】
こういった関心を充足するには、２つの筐体のうち一方の筐体の１つの主表面にディスプレイを、他方の主表面にキー入力部を設けておき、その筐体を反転させてディスプレイを露出させたり、キー入力部を露出させたりする構成を採用する必要がある。
しかしながら、その場合において、２つの表示部で画像を拡大表示していた状態から、一方の筐体を反転してキー入力部を露出させる状態にすると、もう一方の表示部に表示されている画像の向きが、キー入力部を下側に、ディスプレイを上側にした使用スタイルに馴染まない向きとなることがあり、この点に改善の余地がある。
【０００７】
本発明は上記諸事由に鑑みてなされたものであり、携帯端末の使用の多様性を充足する構成とするとともに、通常の使用スタイルにおいて違和感の無い表示方向になるよう工夫した携帯端末を提供することを目的とする。
【課題を解決するための手段】
【０００８】
上記課題を解決することを目的として、本発明に係る携帯端末は、一面側に第１の表示部が設けられるとともに、他面側に複数のキーが設けられてなる第１の筐体と、片面側に第２の表示部が設けられてなる第２の筐体と、一方向から複数のキーと第２の表示部とが視認可能な第１の状態と一方向から第１の表示部と第２の表示部とが視認可能な第２の状態との間で変移自在に、第１の表示部と第２の表示部とを連結する連結部材と、第１の状態を検知する検知部と、検知部により第１の状態が検知されると、第２の表示部に表示される画像の上下方向の向きを第２の筐体から第１の筐体に向かう方向が下向きとなるように制御する制御部とを備える。
【発明の効果】
【０００９】
本発明に係る携帯端末によれば、携帯端末の使用の多様性が充足されるとともに、通常の使用スタイルにおいて違和感の無い表示がなされるようになる。
【図面の簡単な説明】
【００１０】
【図１】実施の形態に係る携帯端末の閉状態における概略斜視図である。
【図２】実施の形態に係る携帯端末のキー入力状態における概略斜視図である。
【図３】実施の形態に係る携帯端末の２画面並列状態における概略斜視図である。
【図４】実施の形態に係る携帯端末の要部分解斜視図である。
【図５】実施の形態に係る携帯端末の変移動作を説明するための概略側面図である。
【図６】実施の形態に係る携帯端末の構成図である。
【図７】実施の形態に係る携帯端末の閉状態における動作説明図である。
【図８】実施の形態に係る携帯端末の２画面並列状態における動作説明図である。
【図９】実施の形態に係る携帯端末のキー入力状態における動作説明図である。
【図１０】実施の形態に係る携帯端末の動作を示すフローチャートである。
【発明を実施するための形態】
【００１１】
＜実施の形態＞
以下、本実施の形態に係る携帯端末について説明する。
＜１＞外観構成
本実施の形態の携帯端末の外観構成を図１乃至図５に基づいて説明する。なお、図１乃至図４は、概略斜視図であり、図５は、側面図を表している。
携帯端末はこれらの図から理解されるように、概ね第１の筐体１００と第２の筐体２００と両筐体１００，２００を連結するアーム（連結部材）３００ａ，３００ｂとからなっている。そして、アーム３００ａ，３００ｂを揺動することにより、図１に示す筐体が閉じた状態から、図２に示す開いた状態に姿勢変更したり、さらに、アーム３００ａ，３００ｂ周りに第1の筐体を回転することにより、図３に示す形態で開いた状態に変更することが出来る（図５（ａ）および（ｂ）に揺動動作を示す）。
【００１２】
アーム３００ａ，３００ｂは、図４に見られるように略Ｌ型をしており、基端側腕部が第２の筐体２００の長手方向両側角部付近に回転自在に軸支（第２軸部４１０ａ，４１０ｂにより軸支）されている。なお、アーム３００ａ，３００ｂを軸支した状態で、第２の筐体２００からアーム３００ａ，３００ｂが外側に飛び出して見栄えを悪くしないよう、第２の筐体２００の角部に凹入部２０５ａ，２０５ｂが形成されている。
【００１３】
アーム３００ａ，３００の先端側は、第1の筐体１００の長手方向両側に形成した溝部１５０ａ，１５０ｂ（図２参照）に挿入され、溝部１５０ａ，１５０ｂ内において第２軸部４１０ａ，４１０ｂにより第1の筐体１００に回転自在に連結されている。
アーム３００ａ，３００ｂの基端から先端までの長さは適切に定められ、２つの筐体１００，２００を図２および図３に示す状態に開いた状態で、両筐体１００，２００が物理的に干渉することなく且つ両筐体１００，２００の長手方向側面同士が近接もしくは接触する程度の間隔を保つことが出来るようにしてある。
【００１４】
アーム３００ａ，３００ｂをＬ型形状としたのは、第1の筐体１００の向きを図２に示すようにキー入力部１２０側が上を向く状態で開いたとき、２つの筐体１００，２００が約１５０度乃至１６０度程度の鈍角以上に開くのが阻止されるようにするためである。この程度の鈍角での開き具合が丁度ノートパソコンの操作感覚と類似し、使い勝手が良いのである。一方、第１の筐体１００の向きを図３に示すようにタッチパッド１１０側が上を向く状態で開いたときは、２つの筐体１００，２００は面一（１８０度）になるところで保持される。これは２つの筐体１００，２００を１８０度に開いたところで、Ｌ型アーム３００ａ，３００ｂの基端側腕部分が第２の筐体２００の凹入部２０５ａ，２０５ｂの内壁と当接しそれ以上開かない構成となっていることと、アーム３００ａ，３００ｂの先端側腕部分が第1の筐体１００の溝部１５０ａ，１５０ｂ内において軸支されていること並びに溝部１５０ａ，１５０ｂの形状が、図３に示す開いた状態になるまで、アーム３００ａ，３００ｂの先端側腕部分を受け入れるように配慮されているからである。
【００１５】
次に、第１の筐体１００は、一方の主面に第１のタッチパッド１１０と該タッチパッド１１０の下方に液晶ディスプレイ（Ｌｉｑｕｉｄ  Ｃｒｙｓｔａｌ  Ｄｉｓｐｌａｙ、以下、第１のＬＣＤと称す。）１１１が、他方の主面にキー入力部１２０が設けられている。キー入力部１２０のキ―の中には、QWERTYキ―が含まれている。第２の筐体２００は第１の筐体１００とほぼ同一形状をしていて、一方の主面に第２のタッチパッド２１０と該タッチパッド２１０の下方に液晶ディスプレイ（以下、第２のＬＣＤと称す。）２１１が設けられている。他方の主面には図示はしないが、副表示部、副操作部、スピーカ及びマイクロフォンが設けられている。
【００１６】
第１の筐体１００のキー入力部１２０が設けられている主面側と、第２の筐体２００の第２のタッチパッド２１０が設けられている主面側には、それぞれ第１のスイッチ２６０、第２のスイッチ１６０が設けられている。詳述すると、第２のスイッチ１６０は、図４に示すように溝部１５０ａ，１５０ｂ内に設けられていて、図２に示すように第1の筐体１００の溝部１５０ａ，１５０ｂ内にアーム３００ａ，３００ｂの先端側腕部分が収納される状態となった時、押下されスイッチオンする。
【００１７】
第１のスイッチ２６０は、第２の筐体２００の一方の主面の第２のタッチパッド２１０の外周に設けられていて、図１に示すように２つの筐体１００，２００が閉じられたとき、押下されスイッチオンする。
上記構成において、今、２つの筐体１００、２００が図1に示す閉状態にあるとする。この状態から図２（ａ）に示す開いた状態への変更は、第１筐体１００が第２筐体２００から離間する方向にアーム３００ａ，３００ｂを揺動するだけで良い。一方、図１に示す閉状態から図３に示す開いた状態への変更は、図５（a）に示すように、先ずアーム３００ａ，３００ｂを実線で示す程度の角度まで揺動しながら、第１筐体１００を矢印ａで示す方向にアーム３００ａ，３００ｂの先端周りに回動する。この後、更に第１筐体１００を回動させながら、アーム３００ａ，３００ｂを矢印ｂ方向に揺動限界まで揺動する。すると、第１の筐体１００は図５（ａ）に鎖線で示す状態、すなわち、第２の筐体２００と面一となり、かつ、第１のタッチパッド１１０が上を向いた状態となる。このとき、２つのＬＣＤ１１１，１１２が、一方向から見て並列した状態になる。
【００１８】
また、この状態から、アーム３００ａ，３００ｂを図５（ｂ）に示す角度まで起こし、第１の筐体１００を第１軸部５１０ａ，５１０ｃの周りに矢印ｃ方向に回転し、再びアーム３００ａ、３００ｂを矢印ｄ方向に揺動限界まで揺動すると、図２（a）に示す状態に復帰することができる。このように、アーム３００ａ，３００ｂの揺動と、第１の筐体１００の回転、非回転との組み合わせにより、２つの筐体１００，２００を図１の状態、図２（a）および（ｂ）の状態、図３の状態の各状態に自由に変更することが出来る。
【００１９】
以下、図１の状態を「閉状態」、図２（ａ）の状態を「キー入力状態」、図３の状態を「２画面並列状態」として説明する。
＜２＞ハードウェア構成
本実施の形態に係る携帯端末のハードウェア構成を図６に示す。
この携帯端末は、通信処理部１０と、音声処理部６０と、操作部３１０と、表示部３１１と、複数のキーを有するキー入力部１２０と、制御部３０と、加速度センサ５２とを備える。そして、この携帯端末は、更に、閉状態検知部５１とキー入力状態検知部５０とを備えている。キー入力状態とは、図２（ａ）および（ｂ）に示すような状態をいう。
【００２０】
通信処理部１０は、第２の筐体２００に収納され、アンテナ１１を介して無線基地局と無線通信を行う。
音声処理部６０は、第２の筐体２００に収納され、音声データをアナログ信号に変換してスピーカ２９０から出力したり、マイクロフォン２９５から入力された送話音声をデジタルデータに変換して出力したりする。
【００２１】
キー入力部１２０は、ユーザが携帯端末にデータを入力するために使用するインターフェースとしての役割を担う。
＜２−１＞操作部
操作部３１０は、既に外観構成のところで述べた静電容量式のタッチパッドである第１のタッチパッド１１０および第２のタッチパッド２１０に該当する。ユーザが第１のタッチパッド１１０または第２のタッチパッド２１０にタッチすると、タッチした位置を示す座標データが制御部３０に入力されることになる。
【００２２】
この座標データ等は、アーム３００ａ，３００ｂに沿って配置された信号線（図示せず）を介して第２の筐体２００に収納された制御部３０に伝送される。
＜２−２＞表示部
表示部３１１は、平面視長方形状の第１のＬＣＤ１１１および第２のＬＣＤ２１１と、各ＬＣＤ１１１，２１１を駆動させるドライバ（図示せず）とから構成される。第１のＬＣＤ１１１は、第１のタッチパッド１１０の後面側に配置され、表示面が第１のタッチパッド１１０に対向している。第２のＬＣＤ２１１は、第２のタッチパッド２１０の後面側に配置され、表示面が第２のタッチパッド２１０に対向している。
【００２３】
なお、第１のタッチパッド１１０と第１のＬＣＤ１１１、第２のタッチパッド２１０と第２のＬＣＤ２１１によりそれぞれタッチパネルが形成されている。
これらの画像データは、アーム３００ａ，３００ｂの内側に配置された信号線（図示せず）を介して伝送される。
＜２−３＞加速度センサ
加速度センサ５２は、ＭＥＭＳ（Ｍｉｃｒｏ−Ｅｌｅｃｔｒｏ−ｍｅｃｈａｎｉｃａｌ  ｓｙｓｔｅｍ）技術を用いて作成された３軸加速度センサにより構成され、第２の筐体２００の鉛直方向に対する傾きを検知して、Ｘ軸、Ｙ軸、Ｚ軸それぞれに対応する電圧を出力する。
【００２４】
＜２−４＞閉状態検知部、キー入力状態検知部
閉状態検知部５１は、第２のタッチパッド２１０の外周に設けられた第１のスイッチ２６０が該当し、キー入力状態検知部５０は、キー入力状態で押下される第２のスイッチ１６０が該当する。閉状態検知部５１およびキー入力状態検知部５０の検知結果は、制御部３０に設けられた入力ポートに入力される。
【００２５】
また、この検知結果は、第１のスイッチ２６０、第２のスイッチ１６０のオンオフに応じて出力される異なるレベルの電圧からなる。
＜２−５＞制御部
制御部３０は、第２の筐体２００に収納され、プロセッサ３１と、メモリ等により構成された記憶部３２と、閉状態検知部５１からの信号が入力される入力ポートとを備える。そして、プロセッサ３１が、記憶部３２に記憶されているプログラムを適宜実行することにより、以下の画像表示処理を行う。
【００２６】
以下では、第１のＬＣＤ１１１および第２のＬＣＤ２１１に文字が長手方向に整列して表示された場合における文字の下方向、或いは、天地方向のある写真画像における地面Ｃ方向を画像の「下向き」として説明する。
即ち、文字、図形、記号、画像などをユーザが視聴する場合における画像の向きに応じて、画像の「下向き」が定義される。
【００２７】
なお、以下に説明する実施例では、携帯端末をユーザが使用する場合、通常では、地面方向をユーザ自身に対して下向きとして使用する場合が多いことから、地面に向かう向きを下向きと設定している。しかし、このような場合に限定されるものではなく、例えば携帯端末のユーザが、寝ていて仰向けになって携帯端末を使用する場合等では、地面に向かう向きとは逆方向を下向きとして設定しても良い。この場合、ユーザが設定したり、加速度センサにより携帯端末が検知するなどして、いずれが下向きかを設定するようにしてもよい。
【００２８】
制御部３０は、加速度センサ５２から入力される電圧の大きさから、携帯端末が第１のＬＣＤの短手方向に平行する（２画面並列状態にあっては、第１のＬＣＤ１１１と第２のＬＣＤ２１１との並び方向に平行する）仮想軸Ｌの地面Ｃに対する傾き角度θを算出する。そして、図７（ａ）および図８（ａ）に示すように、この傾き角度θが閾値よりも大きい場合には、仮想軸Ｌ上における地面Ｃに向かう向きが下向きとなるように、第１のＬＣＤ（２画面並列状態にあっては、第１のＬＣＤ１１１および第２のＬＣＤ２１１）に画像を表示する。一方、図７（ｂ）および図８（ｂ）に示すように、傾き角度θが閾値よりも小さい場合は、仮想軸Ｌとは直交する方向における地面Ｃに向かう方向を下向きとして第１のＬＣＤ１１１（２画面並列状態にあっては、第１のＬＣＤ１１１および第２のＬＣＤ２１１）に画像を表示する。以下、このように、加速度センサ５２からの入力に応じて、携帯端末の地面Ｃに対する傾き角度を算出して、第１のＬＣＤ１１１或いは第１のＬＣＤ１１１および第２のＬＣＤ２１１に表示される画像の表示態様を随時変更する画像表示処理を通常の画像表示処理と称す。
【００２９】
また、キー入力状態の場合、制御部３０は、加速度センサ５２からの入力を無視する。そして、制御部３０は、図９（ａ）および（ｂ）に示すように、携帯端末の地面Ｃに対する傾き角度θに関わらず、仮想軸Ｌ上において第２の筐体から第１の筐体に向かう方向が下向きとして第２のＬＣＤ２１１に画像を表示する。このとき、制御部３０は、第１のＬＣＤ１１１に表示されている画像を消去して第２のＬＣＤ２１１のみに画像を表示する。以下、このように、携帯端末の地面Ｃに対する傾きに関わらずに第２のＬＣＤ２１１に一定の表示態様で画像を表示する画像表示処理をキー入力状態用画像表示処理と称す。
【００３０】
＜３＞動作  本実施の形態に係る携帯端末の制御部３０の動作について図１０に基づいて説明する。
まず、制御部３０は、電源オン操作で表示開始操作を受け付けると、閉状態検知部５１からの入力に基づいて閉状態にあるか否かを確認する（ステップＳ１）。ここでは、制御部３０が、閉状態検知部５１からの入力電圧の大きさから第１のスイッチ２６０が押下された状態（つまり、閉状態）であるか否かを確認する。
【００３１】
ステップＳ１において、制御部３０が、携帯端末が閉状態であると判定すると（ステップＳ１：ＹＥＳ）、第１のＬＣＤ１１１のみに画像を表示させる（ステップＳ２）。そして、制御部３０は、加速度センサ５２からの入力に基づいて通常の画像表示処理を行う（ステップＳ３）。
一方、ステップＳ１において、制御部３０は、携帯端末が閉状態でないと判定すると（ステップＳ１：Ｎｏ）、キー入力状態検知部５０からの入力電圧のレベルに基づいて携帯端末がキー入力状態にあるか否かを確認する（ステップＳ４）。この、第２のスイッチ１６０が押下され、且つ、第１のスイッチ２６０が押下されていない状態が、キー入力状態に相当する。
【００３２】
ステップＳ４において、制御部３０は、携帯端末がキー入力状態にないと判定すると（ステップＳ４：ＮＯ）、第１のＬＣＤ１１１および第２のＬＣＤ２１１に画像を表示させ（ステップＳ５）、前述の通常の画像表示処理を行う（ステップＳ６）。
一方、ステップＳ４において、制御部３０は、携帯端末がキー入力状態にあると判定すると（ステップＳ４：ＹＥＳ）、第２のＬＣＤ２１１のみに画像を表示させる（ステップＳ６）。このとき、第１のＬＣＤ１１１のバックライトが消去される。そして、制御部３０は、前述のキー入力状態用の画像表示処理を行う（ステップＳ７）。
【００３３】
ここにおいて、携帯端末が閉状態にあるときは、制御部３０は、携帯端末が閉状態にあると認識して、図１０におけるステップＳ１→ステップＳ２→ステップＳ３の順に処理を繰り返すことになる。
また、携帯端末が２画面並列状態にあるときは、制御部３０は、携帯端末が２画面並列状態にあると認識して、図１０におけるステップＳ１→ステップＳ４→ステップＳ５→ステップＳ３の順に処理を繰り返すことになる。
【００３４】
また、携帯端末がキー入力状態にあるときは、制御部３０は、携帯端末がキー入力状態にあると認識して、図１０におけるステップＳ１→ステップＳ４→ステップＳ６→ステップＳ７の順に処理を繰り返すことになる。
＜４＞変形例
（１）前述の実施の形態では、制御部３０が、携帯端末がキー入力状態にあると判定すると直ちにキー入力状態用の画像表示処理を行う例について説明したが、これに限定されるものではない。例えば、制御部３０が、携帯端末がキー入力状態にあると判定しても直ちにキー入力状態用の画像表示処理を行うのではなく、キー入力状態が所定の時間（例えば、１ｓｅｃ）だけ継続したときに限り、キー入力状態用の画像表示処理を行うようにしてもよい。
【００３５】
この場合、制御部３０にタイマ（図示せず）を設ければよい。そして、制御部３０は、キー入力状態を認識したときにタイマをオンし、その後、タイムアップするまでキー入力状態が継続した場合にキー入力状態用の画像表示処理を行うようにすればよい。
（２）前述の実施の形態では、閉状態検知部５１が第１のスイッチ２６０から構成され、この第１のスイッチ２６０が押下されたか否かにより携帯端末が閉状態にあるか否かを判別する例について説明したが、これに限定されるものではない。例えば、閉状態検知部５１が筐体１００，２００それぞれのタッチパッド１１０，２１０が設けられた面側に設けられた磁気センサ（図示せず）により構成され、この磁気センサからの出力に基づいて閉状態にあるか否かを判別するものであってもよい。
【００３６】
本変形例によれば、第２のタッチパッド２１０を操作しているときに誤まって第１のスイッチ２６０を押下してしまうことにより、誤まった画像表示処理が行われてしまうことがないので、ユーザの使い勝手の向上を図ることができる。
（３）前述の実施の形態では、制御部３０が、２画面並列状態において、加速度センサ５２により仮想軸Ｌの地面Ｃに対する鋭角側の角度θが所定の角度よりも小さくなる形で仮想軸Ｌと地面Ｃとが交差している状態になると直ちに第１のＬＣＤ１１１および第２のＬＣＤ２１１に表示される画像の上下方向の向きを仮想軸Ｌとは直交する方向において地面Ｃに向かう方向が下向きとなるように制御する例について説明したが、これに限定されるものではない。
【００３７】
例えば、制御部３０が、２画面並列状態において、加速度センサ５２により仮想軸Ｌの地面Ｃに対する鋭角側の角度θが所定の角度よりも小さくなる形で仮想軸Ｌと地面Ｃとが交差している状態で所定の時間（例えば、１ｓｅｃ）だけ継続したときに限り、第１のＬＣＤ１１１および第２のＬＣＤ２１１に表示される画像の上下方向の向きを仮想軸Ｌとは直交する方向において地面Ｃに向かう方向が下向きとなるように制御するようにしてもよい。
【００３８】
（４）また、前述（３）で説明した変形例に限らず、制御部３０が、２画面並列状態において、加速度センサ５２により仮想軸Ｌの地面Ｃに対する鋭角側の角度が所定の角度（例えば、６０°）よりも大きくなる形で仮想軸Ｌと地面Ｃとが交差している状態が検知され且つ第１のＬＣＤ１１１または第２のＬＣＤ２１１がタッチされたことが検知された場合、第１のＬＣＤ１１１および第２のＬＣＤ２１１に表示される画像の上下方向の向きを仮想軸Ｌに直交する方向において地面Ｃに向かう方向が下向きとなるように制御するようにしてもよい。
【００３９】
なお、前述（４）で説明した変形例において、制御部３０が、２画面並列状態において、加速度センサ５２により仮想軸Ｌの地面Ｃに対する鋭角側の角度が所定の角度（例えば、６０°）よりも大きくなる形で仮想軸Ｌと地面Ｃとが交差している状態が所定の時間（例えば、１ｓｅｃ）だけ継続し且つ第１のＬＣＤ１１１または第２のＬＣＤ２１１がタッチされたことが検知されたときに限り、第１のＬＣＤ１１１および第２のＬＣＤ２１１に表示されている画像を仮想軸Ｌとは直交する方向において地面Ｃに向かう方向が下向きとなるように制御するものであってもよい。
【００４０】
（５）前述の実施の形態では、第１の筐体１００にアーム３００ａ，３００ｂが第１軸部５１０ａ，５１０ｂにより支持されてなる例について説明したが、これに限定されるものではなく、アーム３００ａ，３００ｂが第１軸部５１０ａ，５１０ｂ周りに一方向に付勢されてなるものであってもよい。
例えば、２画面並列状態におけるアーム３００ａ，３００ｂと第１の筐体１００との位置関係となるように第１の筐体を第２の筐体２００に対して回動するように付勢する板バネ等からなる付勢部材（図示せず）を備えるものであってもよい。
【００４１】
＜補足＞
（１）前述の実施の形態に係る携帯端末は、一面側に第１のＬＣＤ１１１が設けられるとともに、他面側に複数のキー１２０が設けられてなる第１の筐体１００と、片面側に第２のＬＣＤ２１１が設けられてなる第２の筐体２００と、少なくとも一方向から複数のキー１２０と第２のＬＣＤ２１１とが視認可能なキー入力状態（第１の状態）と少なくとも一方向から第１のＬＣＤ１１１と第２のＬＣＤ２１１とが視認可能な２画面並列状態（第２の状態）との間で変移自在に、第１のＬＣＤ１１１と第２のＬＣＤ２１１とを連結するアーム３００ａ，３００ｂと、キー入力状態を検知するキー入力状態検知部と、キー入力状態検知部によりキー入力状態が検知されると、第２のＬＣＤ２１１に表示される画像の上下方向の向きを第２の筐体２００から第１の筐体１００に向かう方向が下向きとなるように制御する制御部３０とを備える。
【００４２】
本構成によれば、キー入力状態において制御部３０が第２のＬＣＤ２１１に表示される画像を上下方向の向きを第２の筐体２００から第１の筐体１００に向かう方向が下向きとなるように制御することにより、キー入力状態では必ず第２のＬＣＤ２１１に表示される画像が複数のキーが設けられた第１の筐体１００を手前にしてキー入力操作を行うのに適合した表示態様となるので、操作性を向上させることができる。
【００４３】
（２）前述の実施の形態に係る携帯端末は、アーム３００ａ，３００ｂの一端部が、第１の筐体１００に設けられた第１軸部５１０ａ，５１０ｂに軸支され、他端部が第２の筐体２００に設けられた第２軸部４１０ａ，４１０ｂに支持されてなり、アーム３００ａ，３００ｂを第２軸部４１０ａ、４１０ｂ周りに回動させることにより、第１の筐体１００が第２のＬＣＤ２１１を覆う状態と覆わない状態とに変移自在であり、第１の筐体１００が第２のＬＣＤ２１１を覆わない状態において第１の筐体２００を第１軸部５１０ａ，５１０ｂ周りに回動させることにより、キー入力状態と２画面並列状態とに変移自在である。
【００４４】
本構成によれば、２本のアーム３００ａ，３００ｂという簡単且つ少ない部品点数で、キー入力状態と２画面並列状態とに変移自在な携帯端末を実現できる。
（３）＜変形例＞の（１）で説明した携帯端末は、制御部３０が、キー入力検知部５０によりキー入力状態が検知されると、キー入力状態が所定時間だけ継続したときに限り、第２のＬＣＤ２１１に表示される画像の上下方向の向きを第２の筐体２００から第１の筐体１００に向かう方向が下方向となるように制御する。
【００４５】
本構成によれば、ユーザが誤まってキー入力状態としてしまった場合でも、制御部３０は、直ちに第２のＬＣＤ２１１に表示される画像の上下方向の向きを第２の筐体２００から第１の筐体１００に向かう方向が下方向となるように制御しないので、ユーザにとっての使い勝手の向上を図ることができる。
（４）前述の実施の形態に係る携帯端末は、２画面並列状態における第１の筐体１００および第２の筐体２００の並び方向に平行する仮想軸Ｌ（図６および７参照）の地面Ｃに対する向きを検知する加速度センサ５２を備え、制御部３０が、２画面並列状態において、加速度センサ５２により仮想軸Ｌの地面Ｃに対する鋭角側の角度が所定の角度（例えば、６０°）よりも小さくなる形で仮想軸Ｌと地面Ｃとが交差している状態が検知されると、前記第１のＬＣＤ１１１および第２のＬＣＤ２１１に表示される画像の上下方向の向きを仮想軸Ｌとは直交する方向において地面Ｃに向かう方向が下向きとなるように制御する。
【００４６】
本構成によれば、第１のＬＣＤ１１１および第２のＬＣＤ２１１の視認性がよくなるので、操作性の向上を図ることができる。
（５）前述の実施の形態に係る携帯端末は、制御部３０が、２画面並列状態において、加速度センサ５２により仮想軸Ｌの地面Ｃに対する鋭角側の角度が所定の角度（例えば、６０°）よりも小さくなる形で仮想軸Ｌと地面Ｃとが交差している状態が所定の時間（例えば、１ｓｅｃ）だけ継続したときに限り、第１のＬＣＤ１１１および第２のＬＣＤ２１１に表示される画像の上下方向の向きを仮想軸Ｌとは直交する方向において地面Ｃに向かう方向が下向きとなるように制御する。
【００４７】
本構成によれば、ユーザが意図せず誤まって携帯端末を傾けてしまった場合でも、制御部３０は、直ちに第１のＬＣＤ１１１および第２のＬＣＤ２１１に表示される画像の上下方向の向きを仮想軸Ｌとは直交する方向において地面Ｃに向かう方向が下向きとなるように制御しないので、ユーザにとっての使い勝手の向上を図ることができる。
（６）＜変形例＞の（３）で説明した携帯端末は、２画面並列状態における第１の筐体１００および第２の筐体２００の並び方向に平行する仮想軸Ｌの地面Ｃに対する傾きを検知する加速度センサ５２を備え、制御部３０が、２画面並列状態において、加速度センサ５２により仮想軸Ｌの地面Ｃに対する鋭角側の角度が所定の角度（例えば、６０°）よりも小さくなる形で仮想軸Ｌと地面Ｃとが交差している状態が検知され且つ第１のＬＣＤ１１１または第２のＬＣＤ２１１がタッチされたことが検知された場合、第１のＬＣＤ１１１および第２のＬＣＤ２１１に表示される画像の上下方向の向きを仮想軸Ｌに直交する方向において地面Ｃに向かう方向が下向きとなるように制御する。
【００４８】
本構成によれば、ユーザが誤まって携帯端末を傾けてしまった場合でも、制御部３０は、直ちに第１のＬＣＤ１１１および第２のＬＣＤ２１１に表示される画像の上下方向の向きを仮想軸Ｌとは直交する方向において地面Ｃに向かう方向が下向きとなるように制御しないので、ユーザにとっての使い勝手の向上を図ることができる。
（７）＜変形例＞の（４）で説明した携帯端末は、制御部３０が、２画面並列状態において、加速度センサ５２により仮想軸Ｌの地面Ｃに対する鋭角側の角度が所定の角度（例えば、６０°）よりも小さくなる形で仮想軸Ｌと地面Ｃとが交差している状態が所定の時間（例えば、１ｓｅｃ）だけ継続し且つ第１のＬＣＤ１１１または第２のＬＣＤ２１１がタッチされたことが検知されたときに限り、第１のＬＣＤ１１１および第２のＬＣＤ２１１に表示されている画像を仮想軸Ｌとは直交する方向において地面Ｃに向かう方向が下向きとなるように制御する。
【００４９】
本構成によれば、ユーザが誤まってタッチパッド２０にタッチしまった場合でも、制御部３０は、直ちに第１のＬＣＤ１１１および第２のＬＣＤ２１１に表示される画像の上下方向の向きを仮想軸Ｌとは直交する方向において地面Ｃに向かう方向が下向きとなるように制御しないので、ユーザにとっての使い勝手の向上を図ることができる。
（８）＜変形例＞の（５）で説明した変形例に係る携帯端末は、閉状態において２画面並列状態におけるアーム３００ａ，３００ｂと第１の筐体１００との位置関係となるように第１の筐体を第２の筐体２００に対して回動するように付勢する付勢部材（図示せず）を備える。
【００５０】
本構成によれば、ユーザが閉状態から直接２画面並列状態に変形させようとするときに、ユーザの意図に反してキー入力状態に変形してしまうことを抑制することができる。
（９）前述の実施の形態に係る携帯端末は、キー入力部１２０を構成する複数のキーの中にＱＷＥＲＴＹキーが含まれている。
本構成によれば、携帯端末をパソコンと同様の態様で使用することができる。
【００５１】
（１０）前述の実施の形態に係る携帯端末は、複数のキーが、前記キー入力状態において、第１の筐体１００から第２の筐体２００に向かう方向が上向きとなるように配置されてなる。
本構成によれば、制御部３０が第２のＬＣＤ２１１に表示される画像を第２の筐体２００から第１の筐体１００に向かう方向が下向きとなるように表示させれば、キー入力部１２０が手前にあり第２のＬＣＤ２１１が奥側にある状態で使用することができるので、通常の使用スタイルにおいて違和感を無くすことができる。
【産業上の利用可能性】
【００５２】
本発明に係る携帯端末は、２つのディスプレイとキー入力部とを備える携帯端末の表示制御技術に適用される。
【符号の説明】
【００５３】
１０  通信処理部
１１  アンテナ
３０  制御部
３１  プロセッサ
３２  記憶部
５０  キー入力状態検知部
５１  閉状態検知部
５２  加速度センサ
６０  音声処理部
１００  第１の筐体
１１０  第１のタッチパッド
１１１  第１のＬＣＤ
１２０  キー入力部
１５０ａ，１５０ｂ  溝部
１５１  嵌合孔
１６０  第２のスイッチ
２１０  第２のタッチパッド
２１１  第２のＬＣＤ
２６０  第１のスイッチ
２９０  スピーカ
２９５  マイクロフォン
３００ａ，３００ｂ  アーム（連結部材）
３０１  長孔
３１０  操作部
３１１  表示部
４１０ａ，４１０ｂ  第２軸部
５１０ａ，５１０ｂ  第１軸部
【図１】
2012137869.tif 000003
【図２】
2012137869.tif 000004
【図３】
2012137869.tif 000005
【図４】
2012137869.tif 000006
【図５】
2012137869.tif 000007
【図６】
2012137869.tif 000008
【図７】
2012137869.tif 000009
【図８】
2012137869.tif 000010
【図９】
2012137869.tif 000011
【図１０】
2012137869.tif 000012